(57)【要約】本発明は、ＳＩＰ（Ｓｅｓｓｉｏｎ  Ｉｎｉｔｉａｔｉｏｎ  Ｐｒｏｔｏｃｏｌ）ベースセッションサービスのＰＴ（Ｐｕｓｈ−Ｔｏ）サービスに関し、特にターゲットＰＴクライアント端末がＳＩＰ／ＩＰコアに登録されていない状態にあり、ＰＴサーバがそのターゲットＰＴクライアント端末から「ＰＴサービスセッティング」をまだ受信していない場合でも、特定ＰＴクライアントがそのターゲットＰＴクライアント端末のＰＴ  ｂｏｘを利用できる方法及びシステムに関する。
2009522915.tif 000002
【特許請求の範囲】
【請求項１】
複数のターゲット端末の少なくとも１つに対するセッションを開始するために、端末からＳＩＰ招待メッセージを受信する段階と、
ＰＴサービスセッティングが前記各ターゲット端末から受信されたか否かを確認する段階と、
前記ＰＴサービスセッティングが少なくとも１つの特定ターゲット端末から受信されていない場合、前記少なくとも１つの特定ターゲット端末に関するＰＴ  ｂｏｘアクセス条件情報を確認する段階と、
前記ＰＴ  ｂｏｘアクセス条件情報の確認に基づいて、ＰＴ  ｂｏｘに前記ＳＩＰ招待メッセージを送信するか、前記端末に失敗メッセージを送信するかを決定する段階と、
を含むことを特徴とするＳＩＰをサポートする無線通信システムにおけるＰＴセッションサービス処理方法。
【請求項２】
前記決定する段階は、
前記ＰＴ  ｂｏｘアクセス条件情報が無条件ＰＴ  ｂｏｘルーティングに設定されている場合、前記ＳＩＰ招待メッセージを前記ＰＴ  ｂｏｘに送信する段階を含むことを特徴とする請求項１に記載のＳＩＰをサポートする無線通信システムにおけるＰＴセッションサービス処理方法。
【請求項３】
前記失敗メッセージは、ＳＩＰ  ４８０  「ｔｅｍｐｏｒａｒｉｌｙ  ｕｎａｖａｉｌａｂｌｅ」メッセージであることを特徴とする請求項１に記載のＳＩＰをサポートする無線通信システムにおけるＰＴセッションサービス処理方法。
【請求項４】
前記ＰＴ  ｂｏｘアクセス条件情報は、前記複数のターゲット端末の少なくとも１つによりネットワークの特定エンティティに予め保存されていることを特徴とする請求項１に記載のＳＩＰをサポートする無線通信システムにおけるＰＴセッションサービス処理方法。
【請求項５】
前記ＰＴ  ｂｏｘアクセス条件情報は、前記ネットワークの特定エンティティから検索されることを特徴とする請求項１に記載のＳＩＰをサポートする無線通信システムにおけるＰＴセッションサービス処理方法。
【請求項６】
前記特定エンティティは、ＳＩＰ／ＩＰコア、ＰＴ  ＸＭＬデータベース管理サーバ（ＰＴ  ＸＤＭＳ）、及び前記ＰＴ  ｂｏｘの少なくとも１つであることを特徴とする請求項５に記載のＳＩＰをサポートする無線通信システムにおけるＰＴセッションサービス処理方法。
【請求項７】
前記端末にＰＴインジケータを送信する段階をさらに含み、
前記ＰＴインジケータは、前記端末からのＳＩＰ招待メッセージに対する前記ＰＴ  ｂｏｘからの前記ＳＩＰ招待メッセージへの応答を示すことを特徴とする請求項１に記載のＳＩＰをサポートする無線通信システムにおけるＰＴセッションサービス処理方法。
【請求項８】
前記端末が前記ＳＩＰ招待メッセージに対する応答を受信した場合、トークバースト及びメディアバーストの少なくとも一方を前記ＰＴ  ｂｏｘに送信する段階をさらに含むことを特徴とする請求項７に記載のＳＩＰをサポートする無線通信システムにおけるＰＴセッションサービス処理方法。
【請求項９】
前記ＳＩＰ招待メッセージに対する応答は、ＳＩＰ  ２００  「ＯＫ」メッセージであることを特徴とする請求項７に記載のＳＩＰをサポートする無線通信システムにおけるＰＴセッションサービス処理方法。
【請求項１０】
少なくとも１つのターゲット端末にセッション招待メッセージを送信する段階と、
少なくとも１つの登録されていないターゲット端末に関するＰＴ  ｂｏｘアクセス条件情報が無条件ＰＴ  ｂｏｘルーティングに設定されている場合、ＰＴ  ｂｏｘからセッション招待応答メッセージを受信する段階と、
を含むことを特徴とするＳＩＰをサポートする無線通信システムにおけるＰＴセッションサービス処理方法。
【請求項１１】
前記セッション招待応答メッセージは、前記ＰＴ  ｂｏｘのアドレスを含むことを特徴とする請求項１０に記載のＳＩＰをサポートする無線通信システムにおけるＰＴセッションサービス処理方法。
【請求項１２】
前記ＰＴ  ｂｏｘアクセス条件情報は、前記少なくとも１つのターゲット端末により特定エンティティに予め保存されていることを特徴とする請求項１０に記載のＳＩＰをサポートする無線通信システムにおけるＰＴセッションサービス処理方法。
【請求項１３】
前記特定エンティティは、ＳＩＰ／ＩＰコア、ＰＴ  ＸＭＬデータベース管理サーバ（ＰＴ  ＸＤＭＳ）、及び前記ＰＴ  ｂｏｘの少なくとも１つであることを特徴とする請求項１２に記載のＳＩＰをサポートする無線通信システムにおけるＰＴセッションサービス処理方法。
【請求項１４】
前記セッション招待応答メッセージは、前記ＰＴ  ｂｏｘアクセス条件情報が無条件ＰＴ  ｂｏｘルーティングに設定されていない場合、失敗メッセージであることを特徴とする請求項１０に記載のＳＩＰをサポートする無線通信システムにおけるＰＴセッションサービス処理方法。
【請求項１５】
前記失敗メッセージは、ＳＩＰ  ４８０  「ｔｅｍｐｏｒａｒｉｌｙ  ｕｎａｖａｉｌａｂｌｅ」メッセージであることを特徴とする請求項１４に記載のＳＩＰをサポートする無線通信システムにおけるＰＴセッションサービス処理方法。
【請求項１６】
前記ＰＴ  ｂｏｘアクセス条件情報は、ネットワークの特定エンティティから検索され、前記特定エンティティは、ＳＩＰ／ＩＰコア、ＰＴ  ＸＤＭＳ、及び前記ＰＴ  ｂｏｘの少なくとも１つであることを特徴とする請求項１０に記載のＳＩＰをサポートする無線通信システムにおけるＰＴセッションサービス処理方法。
【請求項１７】
前記少なくとも１つの登録されていないターゲット端末は、ＩＭＳ（ＩＰ  Ｍｕｌｔｉｍｅｄｉａ  Ｓｕｂｓｙｓｔｅｍ）接続が不可能な端末であることを特徴とする請求項１０に記載のＳＩＰをサポートする無線通信システムにおけるＰＴセッションサービス処理方法。
【請求項１８】
前記少なくとも１つの登録されていないターゲット端末は、サーバがＰＴサービスセッティングを受信していない端末であることを特徴とする請求項１０に記載のＳＩＰをサポートする無線通信システムにおけるＰＴセッションサービス処理方法。
【請求項１９】
ＰＴサーバを介してＰＴ  ｂｏｘにＳＩＰ  ＰＵＢＬＩＳＨメッセージを送信する段階と、
特定情報を含むＳＩＰメッセージを前記ＰＴ  ｂｏｘから受信する段階と、
前記ＰＴ  ｂｏｘに保存されている特定データを確認するために、前記特定情報を利用してＳＩＰ招待メッセージを前記ＰＴ  ｂｏｘに送信する段階と、
を含むことを特徴とするＳＩＰをサポートする無線通信システムにおけるＰＴセッションサービス処理方法。
【請求項２０】
前記ＳＩＰ  ＰＵＢＬＩＳＨメッセージを送信する段階は、
前記ＳＩＰ  ＰＵＢＬＩＳＨメッセージを前記ＰＴサーバに送信する段階と、
前記ＳＩＰ  ＰＵＢＬＩＳＨメッセージに対する応答として、ＳＩＰ  ２００  ＯＫメッセージを前記ＰＴサーバから受信する段階とを含み、
前記ＰＴサーバは、前記ＳＩＰ  ＰＵＢＬＩＳＨメッセージを前記ＰＴ  ｂｏｘに送信した後、前記ＳＩＰ  ＰＵＢＬＩＳＨメッセージに対する応答として、前記ＳＩＰ  ２００  ＯＫメッセージを前記ＰＴ  ｂｏｘから受信することを特徴とする請求項１９に記載のＳＩＰをサポートする無線通信システムにおけるＰＴセッションサービス処理方法。
【請求項２１】
前記特定データは、トークバースト（ＴＢ）及び／又はメディアバースト（ＭＢ）であることを特徴とする請求項１９に記載のＳＩＰをサポートする無線通信システムにおけるＰＴセッションサービス処理方法。
【請求項２２】
前記特定情報は、前記ＰＴ  ｂｏｘに保存されている特定データのアドレスを含むことを特徴とする請求項１９に記載のＳＩＰをサポートする無線通信システムにおけるＰＴセッションサービス処理方法。
【請求項２３】
前記受信したＳＩＰメッセージに対する応答として、ＳＩＰ  ２００  ＯＫメッセージを前記ＰＴ  ｂｏｘに送信する段階をさらに含むことを特徴とする請求項１９に記載のＳＩＰをサポートする無線通信システムにおけるＰＴセッションサービス処理方法。
【請求項２４】
前記送信したＳＩＰ招待メッセージに対する応答として、ＳＩＰ  ２００  ＯＫメッセージを前記ＰＴ  ｂｏｘから受信する段階と、
前記ＰＴ  ｂｏｘに保存されている前記特定データを前記ＰＴ  ｂｏｘから受信する段階と、
をさらに含むことを特徴とする請求項１９に記載のＳＩＰをサポートする無線通信システムにおけるＰＴセッションサービス処理方法。
【請求項２５】
複数のターゲット端末の少なくとも１つに対するセッションを開始するために、ＳＩＰ招待メッセージを受信する段階と、
前記各ターゲット端末に対するＰＴサービスセッティングを確認する段階と、
前記ＰＴサービスセッティングを少なくとも１つの特定ターゲット端末から受信していない場合、前記ＳＩＰ招待メッセージをＰＴ  ｂｏｘに送信する段階と、
前記ＰＴ  ｂｏｘからＳＩＰ招待応答メッセージを受信する段階とを含み、
前記ＳＩＰ招待応答メッセージは、前記少なくとも１つの特定ターゲット端末のＰＴ  ｂｏｘアクセス条件情報を含むことを特徴とするＳＩＰをサポートする無線通信システムにおけるＰＴセッションサービス処理方法。
【請求項２６】
前記ＰＴ  ｂｏｘアクセス条件情報が無条件ＰＴ  ｂｏｘルーティングに設定されている場合、前記ＰＴ  ｂｏｘとのセッション接続によりデータ通信を行う段階をさらに含むことを特徴とする請求項２５に記載のＳＩＰをサポートする無線通信システムにおけるＰＴセッションサービス処理方法。
【請求項２７】
複数のターゲットクライアントの少なくとも１つに対するセッションを開始するために、クライアントから要求を受信する段階と、
少なくとも１つの登録されていないターゲットクライアント又は少なくとも１つの利用可能でないターゲット端末に関する保存エンティティアクセス情報を確認する段階と、
前記確認する段階に応じて、前記要求を保存エンティティに送信するか、失敗メッセージを前記クライアントに送信するかを決定する段階と、
を含むことを特徴とするＳＩＰをサポートする無線通信システムにおけるＰＴセッションサービス処理方法。
【請求項２８】
前記保存エンティティはセッションデータを保存することを特徴とする請求項２７に記載のＳＩＰをサポートする無線通信システムにおけるＰＴセッションサービス処理方法。
【請求項２９】
前記少なくとも１つの登録されていないターゲットクライアントは、サーバがＰＴサービスセッティングを受信していない端末であることを特徴とする請求項２７に記載のＳＩＰをサポートする無線通信システムにおけるＰＴセッションサービス処理方法。
【請求項３０】
前記決定する段階により前記保存エンティティに送信された前記要求に対する要求応答を受信する段階をさらに含むことを特徴とする請求項２７に記載のＳＩＰをサポートする無線通信システムにおけるＰＴセッションサービス処理方法。
【請求項３１】
前記保存エンティティアクセス情報が無条件保存エンティティフォワーディングに設定されている場合、前記保存エンティティとのセッション接続によりデータ通信を行う段階をさらに含むことを特徴とする請求項２７に記載のＳＩＰをサポートする無線通信システムにおけるＰＴセッションサービス処理方法。
【発明の詳細な説明】
【技術分野】
【０００１】
本発明は、セッションベースサービスに関し、特にＰＴ（Ｐｕｓｈ−Ｔｏ）サーバの制御により特定端末がＰＴ  ｂｏｘサービスを利用できるように、セッション開始プロトコル（Ｓｅｓｓｉｏｎ  Ｉｎｉｔｉａｔｉｏｎ  Ｐｒｏｔｏｃｏｌ；ＳＩＰ）ベースサービスでＰＴセッションを設定する方法及び端末に関する。
【背景技術】
【０００２】
無線通信において、ＳＩＰとは、通信しようとする端末同士が互いを識別してその位置を検出し、それらの間にマルチメディアサービスセッションを設定、解除、又は変更するための手順を明示したシグナリングプロトコルをいう。このようなＳＩＰをベースとするサービス（すなわち、ＳＩＰベースサービス）は、マルチメディアサービスセッションの生成、修正、及び終了を制御する要求／応答構造を有する。また、ＳＩＰベースサービスは、各ユーザを識別するために、電子メールアドレスと類似したＳＩＰ  ＵＲＬ（Ｕｎｉｆｏｒｍ  Ｒｅｓｏｕｒｃｅ  Ｌｏｃａｔｏｒ）を使用することにより、ＩＰ（Ｉｎｔｅｒｎｅｔ  Ｐｒｏｔｏｃｏｌ）アドレスと関係なくサービスを提供する。
【０００３】
ＰＴサービスはＳＩＰベースセッションサービスの１つである。ＰＴサービスは、サービスプロバイダと移動通信ユーザに高速通信（ｒａｐｉｄ  ｃｏｍｍｕｎｉｃａｔｉｏｎ）を提供するためのサービスである。また、ＰＴサービスは、半二重通信サービスタイプ、すなわち１つのクライアントがセッションが設定された少なくとも１つの他のクライアントにメディアデータ（例えば、トークバースト又はメディアバースト）を伝送する通信サービスである。一般に、ＰＴサービスとしては、音声（オーディオ）データの伝送のためのＰＯＣ（Ｐｕｓｈ−ｔｏ−Ｔａｌｋ  Ｏｖｅｒ  Ｃｅｌｌｕｌａｒ）サービス、動画像（ビデオ）データの伝送のためのＰＴＶ（Ｐｕｓｈ  Ｔｏ  Ｖｉｅｗ）サービス、又はデータの伝送のためのＰＴＤ（Ｐｕｓｈ  Ｔｏ  Ｄａｔａ）サービスがある。
【０００４】
ＰＴサービスは、単一受信者との通信（１−ｔｏ−１）、又はグループチャットセッションなどの受信者グループ間の通信（１−ｔｏ−ｍａｎｙ）を特定クライアント端末に提供し、セッションを設定するためにＳＩＰを使用できる。
【０００５】
一般に、ＰＴ  ｂｏｘサービスとは、移動通信サービスの音声メールボックスと類似したサービスをいう。
【０００６】
図１はＰＴ  ｂｏｘサービス利用方法を示す信号フロー図である。
【０００７】
図１において、ＰＴクライアントＡは、ＳＩＰメッセージを処理又は担当するエンティティを示す特定端末（又はＰＴ  ＵＥ（Ｕｓｅｒ  Ｅｑｕｉｐｍｅｎｔ））である。なお、図１に示すメッセージは全てがＳＩＰベースメッセージである。
【０００８】
ＰＴ  ｂｏｘサービスを利用するためには、まず、いくつかの必要条件を満たさなければならないが、すなわち特定端末はＳＩＰ／ＩＰコアに登録されなければならず、ＰＴサーバにはＰＴサービスセッティングが受信及び／又は実現されなければならない。
【０００９】
図１に示すように、ＰＴクライアントＡ  １５は、ＳＩＰ  ＲＥＧＩＳＴＥＲメッセージを用いて、ＳＩＰ／ＩＰコアＡ  ２０（例えば、３ＧＰＰ  ＩＭＳ又は３ＧＰＰ２  ＭＭＤ）に登録を行う（Ｓ１）。ＳＩＰ／ＩＰコアＡ  ２０は、ＰＴクライアントＡ  １５にＳＩＰ  ２００  ＯＫメッセージを送信して、ＰＴクライアントＡ  １５がＳＩＰ／ＩＰコアＡ  ２０への登録に成功したことを通知する（Ｓ２）。
【００１０】
ＰＴクライアントＡ  １５は、ＳＩＰ  ＰＵＢＬＩＳＨメッセージを用いて、ＳＩＰ／ＩＰコアＡ  ２０を介してＰＴサーバＡ  ３０にＰＴサービスに必要な設定値（すなわち、ＰＴサービスセッティング）を送信する。ここで、前記ＰＴサービスセッティングは、例えば応答モード（ａｎｓｗｅｒ  ｍｏｄｅ）、インカミングセッション禁止フラグ（ｉｎｃｏｍｉｎｇ  ｓｅｓｓｉｏｎ  ｂａｒｒｉｎｇ  ｆｌａｇ）、インスタントパーソナル警告禁止フラグ（ｉｎｓｔａｎｔ  ｐｅｒｓｏｎａｌ  ａｌｅｒｔ  ｂａｒｒｉｎｇ  ｆｌａｇ）、同時サポートフラグ（ｓｉｍｕｌｔａｎｅｏｕｓ  ｓｕｐｐｏｒｔ  ｆｌａｇ）などを含む（Ｓ３及びＳ４）。前記ＰＴサービスセッティングは、前記ＳＩＰ  ＰＵＢＬＩＳＨメッセージのボディ又はフィールドに含まれて送信される。
【００１１】
ＰＴサーバＡ  ３０は前記ＰＴサービスセッティングを保存する（Ｓ５）。そして、ＰＴサーバＡ  ３０は、ＳＩＰ  ２００  ＯＫメッセージを用いて、ＰＴクライアントＡ  １５に前記ＰＴサービスセッティングの保存に成功したことを通知する（Ｓ６及びＳ７）。前記段階Ｓ６及びＳ７において、前記ＳＩＰ  ２００  ＯＫメッセージは、ＳＩＰ／ＩＰコアＡ  ２０を介してＰＴサーバＡ  ３０からＰＴクライアントＡ  １５に送信される。
【００１２】
前記段階Ｓ１及びＳ２を「登録」手順といい、前記段階Ｓ３〜Ｓ７を「ＰＴサービスセッティング」という。
【発明の開示】
【発明が解決しようとする課題】
【００１３】
ところが、この場合において、特定端末（すなわち、図１におけるＰＴクライアントＡ  １５）は、前記登録手順と前記ＰＴサーバへの前記ＰＴサービスセッティングの送信を完了しなければ、ＰＴ  ｂｏｘサービスを利用することができない。
【課題を解決するための手段】
【００１４】
このような欠点を解決するために、特定端末の予期せぬ電源オフに起因して、前記特定端末がＳＩＰ／ＩＰコアへの登録を行えず、ＰＴサーバにＰＴサービスセッティングを送信できない場合、又は前記特定端末がＳＩＰ／ＩＰコア（ＩＭＳ）に登録されていない状態の場合でもＰＴ  ｂｏｘサービスを利用できる方法が要求されている。
【００１５】
本発明の一態様は、前述した欠点に関する本発明者らの知見に基づくものである。このような知見に基づいて、ＰＴ  ｂｏｘサービスを利用するためのＳＩＰベースＰＴサービスでのＰＴセッションの設定を向上させることができる。前記ＳＩＰベースＰＴサービスでＰＴセッションを設定する方法及び端末の一部を構成する特徴は、本発明の特徴をより明確にするために詳細には説明しない。しかし、さらなる特徴は、当業者であれば分かるように、ＰＴ  ｂｏｘサービスを利用するためにＳＩＰベースセッションサービスでＰＴセッションを設定する方法の一部を構成することができる。
【００１６】
そこで、本発明は、一実施形態において、特定端末（又はＰＴ  ＵＥ）がＳＩＰ／ＩＰコアに登録されておらず、ＰＴサーバが前記特定端末からＰＴサービスセッティングを受信していない場合でもＰＴ  ｂｏｘサービスを利用できるように、ＳＩＰベースＰＴサービスでＰＴセッションを設定する方法及び端末を提供する。
【００１７】
本発明は、他の実施形態において、第１クライアントから少なくとも１つのターゲット端末に対するセッション招待メッセージを受信する段階と、特定エンティティから前記少なくとも１つのターゲット端末に関するＰＴ  ｂｏｘアクセスポリシー条件情報（ＰＴ  ｂｏｘ  ａｃｃｅｓｓ  ｐｏｌｉｃｙ  ｃｏｎｄｉｔｉｏｎｓ  ｉｎｆｏｒｍａｔｉｏｎ）を確認する段階と、前記ＰＴ  ｂｏｘアクセスポリシー条件情報において前記ターゲットクライアントのＰＴ  ｂｏｘアクセス条件を満たす場合、前記セッション招待メッセージをＰＴ  ｂｏｘに送信する段階とを含む、ＰＴセッション設定方法を提供する。
【００１８】
ここで、前記ＰＴセッション設定方法は、前記ＰＴ  ｂｏｘからセッション招待応答メッセージを受信する段階と、前記セッション招待応答メッセージを前記第１クライアントに送信する段階とをさらに含む。
【００１９】
さらに他の実施形態において、ＰＴセッション設定方法は、第２クライアントが第１クライアントを招待するセッション招待メッセージを送信する段階と、ＳＩＰ／ＩＰコアが前記第１クライアントに関するＰＴ  ｂｏｘアクセスポリシー条件情報を確認する段階と、前記確認されたＰＴ  ｂｏｘアクセスポリシー条件情報の設定状態（セッティング）によって、前記第２クライアントが前記ＰＴ  ｂｏｘを利用する段階とを含む。
【００２０】
さらに他の実施形態において、ＰＴセッション設定方法は、特定クライアントが第１メッセージによりＰＴ  ｂｏｘアクセスポリシー条件情報を特定エンティティに保存する段階と、前記特定エンティティが前記第１メッセージに対する応答として第２メッセージを前記特定クライアントに送信する段階とを含む。
【００２１】
さらに他の実施形態において、ＰＴセッション設定方法は、第１クライアントがＰＴ  ｂｏｘに保存された特定データを確認する、ＰＴ  ｂｏｘを利用する方法であって、前記第１クライアントがＳＩＰ  ＰＵＢＬＩＳＨメッセージを用いてＰＴサーバを介して前記ＰＴ  ｂｏｘにアクセスする段階と、前記ＰＴ  ｂｏｘが特定情報を含むＳＩＰメッセージを前記第１クライアントに送信する段階と、前記ＰＴ  ｂｏｘに保存された特定データを確認するために、前記第１クライアントが前記特定情報を利用してＳＩＰ  ＩＮＶＩＴＥメッセージを送信する段階とを含む。
さらに、本発明は、少なくとも１つのターゲット端末にセッション招待メッセージを送信し、前記ターゲット端末に関するＰＴ  ｂｏｘアクセスポリシー条件情報に基づいてＰＴ  ｂｏｘから前記セッション招待メッセージを受信し、前記ＰＴ  ｂｏｘとのセッションを設定して前記ＰＴ  ｂｏｘから特定データを受信する、端末を提供する。
【発明を実施するための最良の形態】
【００２２】
以下、添付図面を参照して本発明の好ましい実施形態の構成及び動作を説明する。
【００２３】
本発明は、相手（ターゲット）端末（又はＰＴ  ＵＥ）がＳＩＰ／ＩＰコアに登録されておらず（すなわち、ＳＩＰ／ＩＰコアへの未登録状態）、ＰＴサーバが前記相手端末から「ＰＴサービスセッティング」を受信していない場合において、第１に、前記相手端末が特定エンティティ（例えば、ＰＴ  ＸＤＭサーバ、ＰＴ  ｂｏｘ、又はＳＩＰ／ＩＰコア）にＰＴ  ｂｏｘの利用に関する情報（すなわち、「ＰＴ  ｂｏｘアクセスポリシー条件情報」）を保存し、第２に、特定端末が前記相手端末をＰＴセッションに招待するとき、前記相手端末に関するＰＴ  ｂｏｘアクセスポリシー条件情報を照会し、第３に、前記相手端末のＰＴ  ｂｏｘアクセスポリシー条件情報のセッティングによって前記ＰＴ  ｂｏｘにデータ（例えば、トークバースト又はメディアバースト）を保存し、第４に、前記特定端末が前記保存されたデータを確認することによりＰＴ  ｂｏｘサービスを利用することができる。
【００２４】
本発明は、好ましい実施形態として第１〜第４実施形態を提案する。本発明の第１〜第３実施形態は、特定ＰＴクライアントがＰＴ  ｂｏｘを利用するために前記特定ＰＴクライアントの「ＰＴ  ｂｏｘアクセスポリシー条件情報」をどのエンティティに保存するかによって区分される。そして、本発明の第４実施形態は、特定端末が相手端末によりＰＴ  ｂｏｘに保存された特定データを確認することを示す。
【００２５】
以下、本発明の第１〜第３実施形態を説明又は記述する。
【００２６】
つまり、本発明の第１実施形態においては、特定ＰＴクライアントに関するＰＴ  ｂｏｘアクセスポリシー条件情報が「ＰＴ  ＸＭＬデータベース管理サーバ（すなわち、ＰＴ  ＸＤＭＳ又はＰＴ  ＸＤＭサーバという）」に保存される。本発明の第２実施形態においては、特定ＰＴクライアントに関するＰＴ  ｂｏｘアクセスポリシー条件情報が「ＰＴ  ｂｏｘ」に保存される。本発明の第３実施形態においては、特定ＰＴクライアントに関するＰＴ  ｂｏｘアクセスポリシー条件情報が「ＳＩＰ／ＩＰコア（特に、ＨＳＳ）」に保存される。
【００２７】
本発明の第１〜第３実施形態においては、ＰＴクライアントＢはＳＩＰ／ＩＰコアに登録されておらず、ＰＴサーバは「ＰＴサービスセッティング」を受信していないと仮定する。ここで、前記ＰＴサービスセッティングが前記ＰＴクライアントからまだ受信されていないか、又は前記ＰＴクライアントがＩＭＳ（すなわち、ＳＩＰ／ＩＰコア）登録を行っていない場合、前記ＰＴクライアントＢは前記ＳＩＰ／ＩＰコアへの未登録状態になるといえる。
【００２８】
以下、図２〜図４を参照して本発明の第１実施形態を説明する。
【００２９】
図２は、本発明の第１実施形態による、ＰＴシステムにおいてＰＴ  ｂｏｘアクセスポリシー条件情報をＰＴ  ＸＭＬデータベース管理サーバ（ＰＴ  ＸＤＭＳ）に保存する手順を示す信号フロー図である。
【００３０】
図２に示すように、ＰＴシステムは、ＨＴＴＰ関連メッセージを処理するためにＰＴ  ＵＥに含まれるＸＤＭクライアントＢ  １０と、ＳＩＰ／ＩＰコア２０と、ＰＴサーバ３０と、ＰＴサービスのためのＸＭＬ文書を管理するＰＴ  ＸＤＭサーバ４０と、ＰＴサービスのための音声データ（すなわち、トークバースト）及びマルチメディアデータ（すなわち、メディアバースト）を保存するＰＴ  ｂｏｘ５０とを含む。
【００３１】
ＰＴ  ＸＤＭサーバ４０が管理するＸＭＬ文書とは、ユーザアクセスポリシーに関するＸＭＬ形式の文書をいうもので、例えばＰＴグループ、認証規則（ａｕｔｈｏｒｉｚａｔｉｏｎ  ｒｕｌｅｓ）などのＰＴサービスに関するものである。
【００３２】
図２に示すように、ＸＤＭクライアントＢ  １０は、ＰＴ  ＸＤＭサーバ４０にＰＴ  ｂｏｘアクセスポリシー条件情報を送信する（Ｓ２１）。すると、前記ＰＴ  ｂｏｘアクセスポリシー条件情報は、ＨＴＴＰ  ＰＵＴメッセージのボディに含まれてＸＤＭクライアントＢ  １０からＰＴ  ＸＤＭサーバ４０に送信される。ここで、前記ＰＴ  ｂｏｘアクセスポリシー条件情報は、ＰＴ  ＵＥがＳＩＰ／ＩＰコア２０に登録されていない状態で（例えば、ＰＴ  ＵＥの電源オフ状態で）、第３のＰＴ  ＵＥが前記ＰＴ  ＵＥ（又はＰＴ端末）をＰＴセッションに招待するとき、前記第３のＰＴ  ＵＥを前記ＰＴ  ｂｏｘに接続（アクセス）させるか否かを設定するのに必要な特定情報を含む。説明の便宜上、このような情報を「ＰＴ  ｂｏｘ  ｆｏｒｗａｒｄ」という。前記ＰＴ  ＵＥがＳＩＰ／ＩＰコア２０に登録されていない状態のときに前記第３のＰＴ  ＵＥを前記ＰＴ  ｂｏｘに接続させるように設定されている場合を「ＰＴ  ｂｏｘ  ｆｏｒｗａｒｄ［ｔｒｕｅ］」といい、その反対の場合を「ＰＴ  ｂｏｘ  ｆｏｒｗａｒｄ［ｆａｌｓｅ］」という。ここで、前記ＰＴ  ＵＥがＳＩＰ／ＩＰコア２０に登録されていない状態とは、ＰＴサーバ３０が前記ＰＴ  ＵＥからＰＴサービスセッティングを受信していないことを示す。
【００３３】
また、前記ＰＴ  ｂｏｘアクセスポリシー条件情報は、前記ＰＴ  ＵＥがＰＴ  ｂｏｘサービスを利用できる端末（すなわち、ＰＴ  ＵＥ）であるか否かを識別するための情報をさらに含むことができる。説明の便宜上、このような情報を「ＰＴ  ｂｏｘ  ｃａｐａｂｉｌｉｔｙ」という。前記ＰＴ  ＵＥがＰＴ  ｂｏｘサービスを利用できる端末である場合、その端末の能力を示す情報を「ＰＴ  ｂｏｘ  ｃａｐａｂｉｌｉｔｙ［ｔｒｕｅ］」という。反対に、前記ＰＴ  ＵＥがＰＴ  ｂｏｘサービスを利用できない端末である場合、その端末の能力を示す情報を「ＰＴ  ｂｏｘ  ｃａｐａｂｉｌｉｔｙ［ｆａｌｓｅ］」という。ここで、本発明は、前記「ＰＴ  ｂｏｘ  ｃａｐａｂｉｌｉｔｙ」情報を利用することなく、「ＰＴ  ｂｏｘ  ｆｏｒｗａｒｄ［ｔｒｕｅ／ｆａｌｓｅ］」情報のみを利用して実現することもできる。これは、前記「ＰＴ  ｂｏｘ  ｆｏｒｗａｒｄ［ｔｒｕｅ／ｆａｌｓｅ］」は前記「ＰＴ  ｂｏｘ  ｃａｐａｂｉｌｉｔｙ」情報が「ｔｒｕｅ」である場合にのみ利用できるタイプの情報であるからである。すなわち、ＰＴユーザ（すなわち、前記ユーザのＰＴクライアント）により使用される端末がＰＴ  ｂｏｘサービスをサポートしない場合（すなわち、「ＰＴ  ｂｏｘ  ｃａｐａｂｉｌｉｔｙ［ｆａｌｓｅ］」の場合）、前記ＰＴクライアントは前記ＰＴ  ｂｏｘ  ｆｏｒｗａｒｄ情報を利用してＰＴサービスセッティングを送信することができない。これは、前記ＰＴクライアントがＰＴ  ｂｏｘサービスをサポートしないか否か、又は前記ＰＴユーザがメッセージにＰＴセッションをルーティングすることにより前記メッセージの前記ＰＴ  ｂｏｘへの送信を希望しないか否かを識別することが前記ＰＴサーバに必要でない理由となる。
【００３４】
一方、前記情報、すなわち「ＰＴ  ｂｏｘ  ｆｏｒｗａｒｄ［ｔｒｕｅ／ｆａｌｓｅ］」及び「ＰＴ  ｂｏｘ  ｃａｐａｂｉｌｉｔｙ［ｔｒｕｅ／ｆａｌｓｅ］」は、ＨＴＴＰ  ＰＵＴメッセージのボディに含まれるパラメータ又はエレメントでもよい。
【００３５】
ＰＴ  ＸＤＭサーバ４０は、前記ＨＴＴＰ  ＰＵＴメッセージに含まれるＸＤＭクライアントＢ  １０に関する前記ＰＴ  ｂｏｘアクセスポリシー条件情報を保存し、ＨＴＴＰ  ２００  ＯＫメッセージをＰＴ  ＵＥ  Ｂに含まれるＸＤＭクライアントＢ  １０に送信する（Ｓ２２）。前記ＨＴＴＰ  ２００  ＯＫメッセージは、ＰＴ  ＸＤＭサーバ４０に前記ＰＴ  ｂｏｘアクセスポリシー条件情報の保存に成功したことを通知するメッセージである。ＰＴ  ＸＤＭサーバ４０に保存された前記ＰＴ  ｂｏｘアクセスポリシー条件情報は、ＸＤＭクライアントＢ  １０がＰＴシステムからログアウトしたり、前記ＰＴ  ＵＥの電源がオフになっても削除されない。すなわち、ＸＤＭクライアントＢ  １０が前記ＰＴ  ｂｏｘアクセスポリシー条件情報を変更するまで、最初に設定された前記ＰＴ  ｂｏｘアクセスポリシー条件情報はＰＴ  ＸＤＭサーバ４０に保存された状態を維持する。
【００３６】
図３は、ＰＴシステムのＰＴ  ＸＤＭサーバに保存されたＰＴ  ｂｏｘアクセスポリシー条件情報のＰＴ  ｂｏｘ  ｆｏｒｗａｒｄが「ｔｒｕｅ」に設定されている場合におけるＰＴ  ｂｏｘ利用方法を示す信号フロー図である。
【００３７】
図３に示すように、ＰＴシステムは、図２に示すＰＴシステムの構成に加えて、ＰＴクライアントＡ  １５及びＰＴクライアントＢ  １１をさらに含む。ここで、前記ＰＴ  ＵＥに構成されたＰＴクライアントとは、ルーティング関連信号を処理するエンティティをいう。従って、ＰＴクライアントＡ  １５は、ＳＩＰ／ＩＰコア２０を介してＳＩＰメッセージを送受信する。ＰＴサーバ３０とＰＴ  ＸＤＭサーバ４０とは、ＸＣＡＰ（例えば、ＨＴＴＰ）というインタフェースを介して直接接続される。
【００３８】
以下、図３を参照して本発明の第１実施形態の動作を説明する。
【００３９】
ＰＴクライアントＢ  １１をＰＴセッションに招待するために、ＰＴクライアントＡ  １５は、ＳＩＰ  ＩＮＶＩＴＥメッセージ（すなわち、ＰＴクライアントＢ  １１をターゲットとして送信されるセッション招待メッセージ）を送信する。前記ＳＩＰ  ＩＮＶＩＴＥメッセージは、ＳＩＰ／ＩＰコア２０を介してＰＴクライアントＢ  １１のＰＴサーバ３０に送信される（Ｓ３１）。
【００４０】
ＰＴサーバ３０は、前記ＳＩＰ  ＩＮＶＩＴＥメッセージ（すなわち、セッション招待メッセージ）を受信し、そのメッセージのターゲットであるＰＴクライアントＢ  １１からＰＴサービスセッティングを受信していないことを確認する。例えば、ＰＴクライアントＢ  １１が現在電源オフ状態（すなわち、ログアウト状態）又は未登録状態であるので、ＰＴサーバ３０は、ＰＴクライアントＢ  １１がＰＴクライアントＢ  １１へのＰＴセッション招待に対して現在応答できない状態にあることを確認する。
【００４１】
従って、ＰＴサーバ３０は、ＨＴＴＰ  ＧＥＴメッセージにより、ＰＴクライアントＢ  １１のＰＴ  ｂｏｘアクセスポリシー条件情報をＰＴ  ＸＤＭサーバ４０に照会する（又は問い合わせる）（Ｓ３２）。ＰＴ  ＸＤＭサーバ４０は、ＨＴＴＰ  ２００  ＯＫメッセージ（すなわち、セッション招待応答メッセージ）により、既に保存しているＰＴクライアントＢ  １１のＰＴ  ｂｏｘアクセスポリシー条件情報（すなわち、ＰＴ  ｂｏｘ  ｆｏｒｗａｒｄ［ｔｒｕｅ］）をＰＴサーバ３０に送信する（Ｓ３３）。
【００４２】
ＰＴサーバ３０は、ＰＴクライアントＢ  １１のＰＴ  ｂｏｘアクセスポリシー条件情報（すなわち、ＰＴ  ｂｏｘ  ｆｏｒｗａｒｄ［ｔｒｕｅ］）に基づいて、ＰＴクライアントＢ  １１が利用を希望するＰＴ  ｂｏｘサービスを確認できる。つまり、ＰＴクライアントＢ  １１のＰＴ  ｂｏｘアクセスポリシー条件情報にパラメータ（すなわち、ＰＴ  ｂｏｘ  ｆｏｒｗａｒｄ）が設定されて（又は含まれて）いるため、ＰＴサーバ３０は、ＰＴクライアントＢ  １１を含んでいるＰＴ  ＵＥがＰＴ  ｂｏｘサービスを利用可能な端末であることが分かる。また、ＰＴクライアントＢ  １１のＰＴ  ｂｏｘアクセスポリシー条件情報においてＰＴ  ｂｏｘ  ｆｏｒｗａｒｄが「ｔｒｕｅ」に設定されているため、ＰＴサーバ３０は、ＰＴクライアントＢ  １１からＰＴサービスセッティングを受信していなくても、ＰＴクライアントＢ  １１がＰＴ  ｂｏｘを利用するように設定されたことを確認できる。
【００４３】
従って、図２において既に設定されたＰＴ  ｂｏｘアクセスポリシー条件情報（すなわち、ＰＴ  ｂｏｘ  ｆｏｒｗａｒｄ［ｔｒｕｅ］）に基づいて、ＰＴサーバ３０は、ＰＴクライアントＡ  １５がＰＴ  ｂｏｘ５０にトークバースト（一種の音声メールメッセージ）又はメディアバースト（テキスト、ビデオなどの一種のマルチメディアメッセージ）を保存できるように、ＰＴクライアントＢ  １１のＰＴ  ｂｏｘ５０を招待するＳＩＰ  ＩＮＶＩＴＥメッセージを送信する（Ｓ３４）。ＰＴ  ｂｏｘ５０をターゲットとする前記ＳＩＰ  ＩＮＶＩＴＥメッセージは、ＳＩＰ／ＩＰコア２０を介してＰＴサーバ３０からＰＴクライアントＢ  １１のＰＴ  ｂｏｘ５０に送信される（Ｓ３４）。
【００４４】
ＰＴ  ｂｏｘ５０は、ＰＴサーバ３０の招待（すなわち、Ｓ３４に該当する段階）の受諾を示すＳＩＰ  ２００  ＯＫメッセージをＳＩＰ／ＩＰコア２０を介してＰＴサーバ３０に送信する（Ｓ３５）。次に、ＰＴサーバ３０は、前記ＳＩＰ  ２００  ＯＫメッセージをＳＩＰ／ＩＰコア２０を介してＰＴクライアントＡ  １５に送信する（Ｓ３６）。前記段階Ｓ３５において、前記ＳＩＰ  ２００  ＯＫメッセージはいわゆる「ＰＴインジケータ」を含むことができる。前記ＰＴインジケータは、ＰＴクライアントＡ  １５によるＰＴセッション招待に対するＰＴクライアントＢ  １１のＰＴ  ｂｏｘ５０の応答を通知するインジケータ又はパラメータを示す。前記ＰＴインジケータは、前記ＳＩＰ  ２００  ＯＫメッセージと共に、又は前記ＳＩＰ  ２００  ＯＫメッセージに含めて送信することができる。また、前記ＰＴインジケータは、ＰＴサーバ３０又はＰＴ  ｂｏｘ５０により送信することができる。
【００４５】
ＰＴクライアントＡ  １５は、ＰＴクライアントＢ  １１が有する（残す）ことを希望するトークバーストもしくはメディアバースト、又はこれら両方をＰＴ  ｂｏｘ５０に保存する（Ｓ３７）。
【００４６】
図４は、ＰＴシステムのＰＴ  ＸＤＭサーバに保存されたＰＴ  ｂｏｘアクセスポリシー条件情報のＰＴ  ｂｏｘ  ｆｏｒｗａｒｄが「ｆａｌｓｅ」に設定されている場合におけるＰＴ  ｂｏｘ利用方法を示す信号フロー図である。
【００４７】
図４に示すように、ＰＴクライアントＡ  １５がＰＴクライアントＢ  １１にＳＩＰ  ＩＮＶＩＴＥメッセージを送信する手順（Ｓ３１）、並びにＨＴＴＰメッセージ関連手順（Ｓ３２及びＳ３３）は、図３のものと同様である。従って、説明の重複を避けて図４の実施形態と図３の実施形態との相違点のみを以下に説明する。
【００４８】
ＰＴサーバ３０は、ＰＴクライアントＢ  １１のＰＴ  ｂｏｘアクセスポリシー条件情報（すなわち、ＰＴ  ｂｏｘ  ｆｏｒｗａｒｄ［ｆａｌｓｅ］）に基づいて、ＰＴクライアントＢ  １１が利用を希望するＰＴ  ｂｏｘサービスを確認できる。つまり、ＰＴクライアントＢ  １１のＰＴ  ｂｏｘアクセスポリシー条件情報にパラメータ（すなわち、ＰＴ  ｂｏｘ  ｆｏｒｗａｒｄ）が設定されて（又は含まれて）いるため、ＰＴサーバ３０は、ＰＴクライアントＢ  １１を含んでいるＰＴ  ＵＥがＰＴ  ｂｏｘサービスを利用可能な端末であることが分かる。しかし、ＰＴクライアントＢ  １１のＰＴ  ｂｏｘアクセスポリシー条件情報においてＰＴ  ｂｏｘ  ｆｏｒｗａｒｄが「ｆａｌｓｅ」に設定されているため、ＰＴサーバ３０は、ＰＴクライアントＢ  １１からＰＴサービスセッティングを受信していなくても、ＰＴクライアントＢ  １１がＰＴ  ｂｏｘを利用しないように設定されたことが分かる。
【００４９】
従って、図２において既に設定されたＰＴ  ｂｏｘアクセスポリシー条件情報（すなわち、ＰＴ  ｂｏｘ  ｆｏｒｗａｒｄ［ｆａｌｓｅ］）に基づいて、ＰＴサーバ３０は、ＰＴクライアントＡ  １５がＰＴクライアントＢ  １１のＰＴ  ｂｏｘ５０にトークバースト又はメディアバーストを保存できないように、セッション招待に対する失敗メッセージ（例えば、ＳＩＰ  ４ｘｘメッセージ、ＳＩＰ  ４８０  「ｔｅｍｐｏｒａｒｉｌｙ  ｕｎａｖａｉｌａｂｌｅ」メッセージなど）をＰＴクライアントＡ  １５に送信する。前記ＳＩＰ  ４ｘｘメッセージは、ＳＩＰ／ＩＰコア２０を介してＰＴクライアントＡ  １５に送信される（Ｓ３６’）。
【００５０】
以上、図２〜図４に示す本発明の第１実施形態で説明したように、図２において設定された前記ＰＴ  ｂｏｘアクセスポリシー条件情報、すなわち前記ＰＴ  ｂｏｘ  ｆｏｒｗａｒｄが「ｔｒｕｅ」に設定されている場合にのみ、ＰＴクライアントＡ  １５によるＰＴセッション招待がＰＴ  ｂｏｘ５０に接続される。そして、招待者（すなわち、ＰＴクライアントＡ  １５）は、トークバーストもしくはメディアバースト、又はこれら両方をＰＴ  ｂｏｘ５０に保存できる。
【００５１】
以下、図５〜図７を参照して本発明の第２実施形態を説明する。ただし、本発明の第１実施形態と重複する部分は図２〜図４を参照して前述した内容から理解できるので、本発明の第１実施形態との相違点に基づいて本発明の第２実施形態を説明する。従って、図５〜図７に示す参照符号で図２〜図４に示す参照符号と同じものは、該当動作及びその動作特性が同じものである。
【００５２】
図５は、ＰＴシステムにおいてＰＴ  ｂｏｘアクセスポリシー条件情報をＰＴ  ｂｏｘに保存する手順を示す信号フロー図である。
【００５３】
図２と比較すると、図５に示す本発明の第２実施形態におけるＰＴクライアントＢ  １０のＰＴ  ｂｏｘアクセスポリシー条件情報は、ＰＴ  ＸＤＭサーバ４０ではなく、ＰＴ  ｂｏｘ５０に保存される。従って、前記ＨＴＴＰ  ＰＵＴメッセージはＰＴ  ｂｏｘ５０をターゲットとし、前記ＨＴＴＰ  ２００  ＯＫメッセージはＰＴ  ｂｏｘ５０により送信される（Ｓ２１及びＳ２２）。
【００５４】
図６は、ＰＴシステムのＰＴ  ｂｏｘに保存されたＰＴ  ｂｏｘアクセスポリシー条件情報のＰＴ  ｂｏｘ  ｆｏｒｗａｒｄが「ｔｒｕｅ」に設定されている場合におけるＰＴ  ｂｏｘ利用方法を示す信号フロー図である。
【００５５】
図６に示すように、ＰＴサーバ３０は、メッセージのターゲットであるＰＴクライアントＢ  １１から前記ＰＴサービスセッティングを受信していないことを確認するために、前記段階Ｓ３１のＳＩＰ  ＩＮＶＩＴＥメッセージを受信する。すなわち、ＰＴサーバ３０は、ＰＴクライアントＢ  １１がＰＴセッション招待に対して現在応答できない状態にあることを確認する。
【００５６】
図３の第１実施形態において、ＰＴサーバ３０は、前記ＨＴＴＰ  ＧＥＴメッセージにより、ＰＴクライアントＢ  １１のＰＴ  ｂｏｘアクセスポリシー条件情報をＰＴ  ＸＤＭサーバ４０に照会する（又は問い合わせる）が、図６の第２実施形態において、ＰＴサーバ３０は、前記ＳＩＰ  ＩＮＶＩＴＥメッセージをＳＩＰ／ＩＰコア２０を介してＰＴ  ｂｏｘ５０に送信する（Ｓ３２’）。すると、ＰＴ  ｂｏｘ５０は、前記ＳＩＰ  ２００  ＯＫメッセージにより、既に保存しているＰＴクライアントＢ  １１のＰＴ  ｂｏｘアクセスポリシー条件情報（すなわち、ＰＴ  ｂｏｘ  ｆｏｒｗａｒｄ［ｔｒｕｅ］）をＰＴサーバ３０に送信する（Ｓ３５）。図３の第１実施形態と図６の第２実施形態とを比較すると、図３の第１実施形態においては、前記段階Ｓ３２及びＳ３３がＨＴＴＰメッセージにより行われるが、図６の第２実施形態においては、該当段階Ｓ３２及びＳ３５がＳＩＰメッセージにより行われる。また、図６の第２実施形態は前記段階Ｓ３４を必要としない。さらに、図６に示す一連の段階（すなわち、Ｓ３５〜Ｓ３７）は、図３に示す該当段階（すなわち、Ｓ３５〜Ｓ３７）と同様である。
【００５７】
図７は、ＰＴシステムのＰＴ  ｂｏｘに保存されたＰＴ  ｂｏｘアクセスポリシー条件情報のＰＴ  ｂｏｘ  ｆｏｒｗａｒｄが「ｆａｌｓｅ」に設定されている場合におけるＰＴ  ｂｏｘ利用方法を示す信号フロー図である。
【００５８】
図７に示すように、前記ＳＩＰ  ＩＮＶＩＴＥメッセージによる一連の段階（Ｓ３１’〜Ｓ３３’）は、図６で説明したものと同様である。
【００５９】
以下、図７に示す第２実施形態と図４に示す第１実施形態との相違点を説明する。
【００６０】
ＰＴ  ｂｏｘ５０は、ＰＴクライアントＢ  １１のＰＴ  ｂｏｘアクセスポリシー条件情報（すなわち、ＰＴ  ｂｏｘ  ｆｏｒｗａｒｄ［ｆａｌｓｅ］）に基づいて、ＰＴクライアントＢ  １１が利用を希望するＰＴ  ｂｏｘサービスを確認できる。従って、図５において既に設定されたＰＴ  ｂｏｘアクセスポリシー条件情報（すなわち、ＰＴ  ｂｏｘ  ｆｏｒｗａｒｄ［ｆａｌｓｅ］）に基づいて、ＰＴ  ｂｏｘ５０は、ＰＴサーバ３０の招待（すなわち、前記段階Ｓ３４に該当する手順）の拒否（失敗）を示す前記ＳＩＰ  ４ｘｘメッセージ（すなわち、ＳＩＰ  ４８０  ｔｅｍｐｏｒａｒｉｌｙ  ｕｎａｖａｉｌａｂｌｅメッセージ）をＳＩＰ／ＩＰコア２０を介してＰＴサーバ３０に送信する（Ｓ３５’）。次に、ＰＴサーバ３０は、前記ＳＩＰ  ４ｘｘメッセージをＳＩＰ／ＩＰコア２０を介してＰＴクライアントＡ  １５に送信する（Ｓ３６’）。
【００６１】
図７の第２実施形態を図４の第１実施形態と比較すると、図７の第２実施形態において、前記ＳＩＰ  ４ｘｘメッセージは、ＳＩＰ／ＩＰコア２０を介してＰＴ  ｂｏｘ５０からＰＴサーバ３０に送信された後（Ｓ３５’）、ＳＩＰ／ＩＰコア２０を介してＰＴサーバ３０からＰＴクライアントＡ  １５に送信される（Ｓ３６’）という点で異なる。
【００６２】
以下、図８〜図１０を参照して本発明の第３実施形態を説明する。ただし、本発明の第１実施形態と重複する部分は図２〜図４を参照して前述した内容から理解でき、本発明の第２実施形態と重複する部分は図５〜図７を参照して前述した内容から理解できる。本発明の第１及び第２実施形態との相違点に基づいて本発明の第３実施形態を説明する。従って、図８〜図１０に示す参照符号で図２〜図４及び図５〜図７に示す参照符号と同じものは、該当動作及びその動作特性が同じものである。
【００６３】
図８は、ＰＴシステムにおいてＰＴ  ｂｏｘアクセスポリシー条件情報をＳＩＰ／ＩＰコアのＨＳＳに保存する手順を示す信号フロー図である。
【００６４】
図２と比較すると、図８に示す本発明の第３実施形態におけるＰＴクライアントＢ  １０のＰＴ  ｂｏｘアクセスポリシー条件情報は、ＰＴ  ＸＤＭサーバ４０（図５の第２実施形態の場合はＰＴ  ｂｏｘ５０）ではなく、ＳＩＰ／ＩＰコア２０、とりわけＳＩＰ／ＩＰコア２０のＨＳＳに保存される。従って、前記ＨＴＴＰ  ＰＵＴメッセージはＳＩＰ／ＩＰコア２０のＨＳＳをターゲットとし、前記ＨＴＴＰ  ２００  ＯＫメッセージはＳＩＰ／ＩＰコア２０により送信される（Ｓ２１及びＳ２２）。
【００６５】
図９は、ＰＴシステムのＳＩＰ／ＩＰコアに保存されたＰＴ  ｂｏｘアクセスポリシー条件情報のＰＴ  ｂｏｘ  ｆｏｒｗａｒｄが「ｔｒｕｅ」に設定されている場合におけるＰＴ  ｂｏｘ利用方法を示す信号フロー図である。
【００６６】
図９に示すように、ＰＴクライアントＢ  １１をＰＴセッションに招待するために、ＰＴクライアントＡ  １５は、ＰＴクライアントＢ  １１に前記ＳＩＰ  ＩＮＶＩＴＥメッセージを送信する（Ｓ３１）。
【００６７】
ＳＩＰ／ＩＰコア２０は、前記段階Ｓ３１のＳＩＰ  ＩＮＶＩＴＥメッセージを受信し、前記ＨＳＳに保存されているＰＴクライアントＢ  １１のＰＴ  ｂｏｘアクセスポリシー条件情報を確認する。このとき、ＳＩＰ／ＩＰコア２０は、図８において既に保存されているＰＴクライアントＢ  １１のＰＴ  ｂｏｘアクセスポリシー条件情報、すなわちＰＴ  ｂｏｘ  ｆｏｒｗａｒｄが「ｔｒｕｅ」に設定されていることを確認する。従って、ＳＩＰ／ＩＰコア２０は、ＰＴクライアントＢ  １１がＳＩＰ／ＩＰコア２０に登録されていなくても、ＰＴサーバ３０に前記ＳＩＰ  ＩＮＶＩＴＥメッセージを送信する（Ｓ３２）。前記段階Ｓ３２のＳＩＰ  ＩＮＶＩＴＥメッセージは、ＰＴクライアントＡ  １５がＰＴクライアントＢ  １１のＰＴ  ｂｏｘ５０に接続すべきであることを示す特定情報を含む。
【００６８】
さらに、図９に示す一連のＳＩＰメッセージによる一連の段階（すなわち、Ｓ３２〜Ｓ３７）は、図６に示す該当段階（すなわち、図６のＳ３２〜Ｓ３７）と同様である。
【００６９】
図１０は、ＰＴシステムのＳＩＰ／ＩＰコアに保存されたＰＴ  ｂｏｘアクセスポリシー条件情報のＰＴ  ｂｏｘ  ｆｏｒｗａｒｄが「ｆａｌｓｅ」に設定されている場合におけるＰＴ  ｂｏｘ利用方法を示す信号フロー図である。
【００７０】
図１０に示すように、ＰＴクライアントＢ  １１をＰＴセッションに招待するために、ＰＴクライアントＡ  １５は、ＰＴクライアントＢ  １１に前記ＳＩＰ  ＩＮＶＩＴＥメッセージを送信する（Ｓ３１）。ＳＩＰ／ＩＰコア２０は、前記ＨＳＳに保存されているＰＴクライアントＢ  １１のＰＴ  ｂｏｘアクセスポリシー条件情報を確認するために、前記段階Ｓ３１のＳＩＰ  ＩＮＶＩＴＥメッセージを受信する。このとき、ＳＩＰ／ＩＰコア２０は、前記ＨＳＳに保存されているＰＴクライアントＢ  １１のＰＴ  ｂｏｘアクセスポリシー条件情報のセッティング（すなわち、ＰＴ  ｂｏｘ  ｆｏｒｗａｒｄが「ｆａｌｓｅ」に設定されているか否か）を確認する。
【００７１】
ＳＩＰ／ＩＰコア２０は、そのＰＴクライアントＢ  １１のＰＴ  ｂｏｘアクセスポリシー条件情報のセッティングに基づいて、ＰＴクライアントＢ  １１がＳＩＰ／ＩＰコア２０に登録されていない場合（すなわち、ＳＩＰ／ＩＰコア２０への未登録状態）、招待者（すなわち、ＰＴクライアントＡ  １５）がＰＴクライアントＢ  １１のＰＴ  ｂｏｘ５０に接続されていないと判断する。従って、ＳＩＰ／ＩＰコア２０は、前記ＳＩＰ  ４ｘｘメッセージ（すなわち、ＳＩＰ  ４８０  「ｔｅｍｐｏｒａｒｉｌｙ  ｕｎａｖａｉｌａｂｌｅ」メッセージ）をＰＴクライアントＡ  １５に送信する（Ｓ３６’’）。
【００７２】
以上、本発明の第１〜第３実施形態においては、前記ＰＴ  ｂｏｘアクセスポリシー条件情報がパラメータ（すなわち、前記ＰＴ  ｂｏｘ  ｃａｐａｂｉｌｉｔｙ及び前記ＰＴ  ｂｏｘ  ｆｏｒｗａｒｄ）を含む場合を説明した。しかしながら、本発明の第１〜第３実施形態は、前記ＰＴ  ｂｏｘアクセスポリシー条件情報が、前記ＰＴ  ｂｏｘ  ｃａｐａｂｉｌｉｔｙを含まず、前記ＰＴ  ｂｏｘ  ｆｏｒｗａｒｄのみを含む場合にも適用できる。これは、前記ＰＴ  ｂｏｘ  ｃａｐａｂｉｌｉｔｙが「ｔｒｕｅ」又は「ｆａｌｓｅ」のいずれに設定されていても、前記ＰＴ  ｂｏｘアクセスポリシー条件情報の設定状態（セッティング）は、前記ＰＴ  ｂｏｘ  ｆｏｒｗａｒｄのセッティングによって決定されるからである。すなわち、前記ＰＴ  ｂｏｘ  ｆｏｒｗａｒｄが「ｔｒｕｅ」に設定されると、ＰＴクライアントＡ  １５はＰＴ  ｂｏｘサービスを利用できる。反対に、前記ＰＴ  ｂｏｘ  ｆｏｒｗａｒｄが「ｆａｌｓｅ」に設定されると、ＰＴクライアントＡ  １５はＰＴ  ｂｏｘサービスを利用できない。
【００７３】
図１１は、本発明の第４実施形態によるＰＴ  ｂｏｘ通知手順を示す信号フロー図である。
【００７４】
図１１は、本発明の第１〜第３実施形態において、ＰＴクライアントＡ  １５がＰＴクライアントＢ  １１のＰＴ  ｂｏｘ５０に保存したトークバーストもしくはメディアバースト（又はこれら両方）を、ＰＴクライアントＢ  １１が確認する手順を示す。
【００７５】
図１１に示すように、ＳＩＰ／ＩＰコア２０に登録されていないＰＴクライアントＢ  １１（図１１には図示せず）は、ＳＩＰ／ＩＰコア２０に登録を行った後、前記ＳＩＰ  ＰＵＢＬＩＳＨメッセージを用いて前記ＰＴサービスセッティングをＰＴサーバ３０に送信する（Ｓ１１１）。すなわち、前記段階Ｓ１１１により、ＰＴサーバ３０は、ＰＴクライアントＢ  １１がＰＴサービスを利用可能（すなわち、ＰＴサービス利用可能状態）であることが分かる。従って、ＰＴサーバ３０は、前記ＳＩＰ  ２００  ＯＫメッセージをＰＴクライアントＢ  １１に送信する（Ｓ１１２）。ここで、前記ＳＩＰ  ２００  ＯＫメッセージは、前記段階Ｓ１１１のＳＩＰ  ＰＵＢＬＩＳＨメッセージの受信に成功したことを示す。
【００７６】
ＰＴサーバ３０は、ＰＴクライアントＢ  １１のＰＴ  ｂｏｘ５０に前記ＳＩＰ  ＰＵＢＬＩＳＨメッセージを送信することにより、ＰＴクライアントＢ  １１が現在ＰＴサービス利用可能状態（すなわち、図１１において、前記ＰＴクライアントＢが登録され、前記ＰＴサービスセッティングが完了した状態）であることを通知する（Ｓ１１３）。次に、ＰＴ  ｂｏｘ５０は、前記段階Ｓ１１３のＳＩＰ  ＰＵＢＬＩＳＨメッセージの受信に成功したことを示す前記ＳＩＰ  ２００  ＯＫメッセージをＰＴサーバ３０に送信する（Ｓ１１４）。
【００７７】
ＰＴクライアントＢ  １１のために保存されているトークバーストもしくはメディアバースト（又はこれら両方）がある場合、ＰＴ  ｂｏｘ５０は、ＰＴクライアントＡ  １５（図１１には図示せず）が保存したトークバーストもしくはメディアバースト（又はこれら両方）をＰＴクライアントＢ  １１が確認できるように、特定情報を含むＳＩＰメッセージ（例えば、ＳＩＰ  ＭＥＳＳＡＧＥ  ＭＥＴＨＯＤ）を送信する（Ｓ１１５）。ここで、前記特定情報は、ＰＴ  ｂｏｘのアドレス（例えば、ＰＴ  ｂｏｘのＵＲＬ）、該当トークバーストもしくはメディアバースト（又はこれら両方）が保存されているＰＴ  ｂｏｘ内のポジションアドレス（例えば、トークバーストのＵＲＬ及び／又はメディアバーストのＵＲＬ）などを含む。
【００７８】
ＰＴクライアントＢ  １１は、前記段階Ｓ１１５のＳＩＰメッセージを受信した後、前記ＳＩＰ  ２００  ＯＫメッセージをＰＴ  ｂｏｘ５０に送信することにより、前記ＳＩＰメッセージの受信に成功したことを通知する（Ｓ１１６）。
【００７９】
ＰＴクライアントＢ  １１は、ＰＴ  ｂｏｘ５０に接続するために、前記段階Ｓ１１５のＳＩＰメッセージに含まれている前記特定情報を利用して、ＰＴ  ｂｏｘ５０に前記ＳＩＰ  ＩＮＶＩＴＥメッセージを送信する（Ｓ１１７）。ここで、前記特定情報は、前記ＰＴ  ｂｏｘのアドレス、及びトークバーストもしくはメディアバースト（又はこれら両方）が保存されている前記ＰＴ  ｂｏｘ内のポジションアドレスを示す。前記段階Ｓ１１７のＳＩＰ  ＩＮＶＩＴＥメッセージに対する応答として、ＰＴ  ｂｏｘ５０は、前記ＳＩＰ  ２００  ＯＫメッセージをＰＴクライアントＢ  １１に送信して、前記ＳＩＰ  ＩＮＶＩＴＥメッセージの受信に成功したことを通知する（Ｓ１１８）。
【００８０】
ＰＴ  ｂｏｘ５０は、ＰＴクライアントＢ  １１のために保存されているトークバーストもしくはメディアバースト（又はこれら両方）を、ＰＴクライアントＢ  １１に送信する（Ｓ１１９）。
【００８１】
前述したように、本発明は、ターゲットＰＴクライアント（例えば、ＰＴクライアントＢ）がＳＩＰ／ＩＰコアに登録されておらず、ＰＴサーバが前記ターゲットＰＴクライアントから「ＰＴサービスセッティング」をまだ受信していない場合でも、特定ＰＴクライアント（例えば、ＰＴクライアントＡ）がＰＴ  ｂｏｘを利用できる方法及びシステムを提供する。特に、本発明は、特定端末（又はＰＴ  ＵＥ）がＳＩＰ／ＩＰコアに登録されておらず、ＰＴサーバがＰＴサービスセッティングをまだ受信していない状態でも、前記特定端末がＰＴ  ｂｏｘサービスを利用できるようにする、ＰＴセッションを設定する方法及び端末を提供する。相手端末（又はＰＴ  ＵＥ）がＳＩＰ／ＩＰコアに登録されておらず（すなわち、ＳＩＰ／ＩＰコアへの未登録状態）、ＰＴサーバが前記相手端末から「ＰＴサービスセッティング」を受信していない場合において、第１に、前記相手端末が特定エンティティ（例えば、ＰＴ  ＸＤＭサーバ、ＰＴ  ｂｏｘ、又はＳＩＰ／ＩＰコア）にＰＴ  ｂｏｘの利用に関する情報（すなわち、「ＰＴ  ｂｏｘアクセスポリシー条件情報」）を保存し、第２に、特定端末が前記相手端末をＰＴセッションに招待するとき、前記相手端末に関するＰＴ  ｂｏｘアクセスポリシー条件情報を照会し、第３に、前記相手端末のＰＴ  ｂｏｘアクセスポリシー条件情報のセッティングによって前記ＰＴ  ｂｏｘにデータ（例えば、トークバースト又はメディアバースト）を保存し、第４に、前記特定端末が前記保存されたデータを確認することによりＰＴ  ｂｏｘサービスを利用することができる。
【００８２】
また、本発明は、前記ターゲットＰＴクライアントのために前記ＰＴ  ｂｏｘに保存されているトークバーストもしくはメディアバースト（又はこれら両方）を得るために、前記ターゲットＰＴクライアントが前記ＰＴ  ｂｏｘに接続できるように実現することができる。
【００８３】
本発明は、複数のターゲット端末の少なくとも１つに対するセッションを開始するために、端末からＳＩＰ招待メッセージを受信する段階と、ＰＴサービスセッティングが前記各ターゲット端末から受信されたか否かを確認する段階と、前記ＰＴサービスセッティングが少なくとも１つの特定ターゲット端末から受信されていない場合、前記少なくとも１つの特定ターゲット端末に関するＰＴ  ｂｏｘアクセス条件情報を確認する段階と、前記ＰＴ  ｂｏｘアクセス条件情報の確認に基づいて、ＰＴ  ｂｏｘに前記ＳＩＰ招待メッセージを送信するか、前記端末に失敗メッセージを送信するかを決定する段階と、前記端末からのＳＩＰ招待メッセージに対する前記ＰＴ  ｂｏｘからの前記ＳＩＰ招待メッセージへの応答を示すＰＴインジケータを、前記端末に送信する段階と、前記端末が前記ＳＩＰ招待メッセージに対する応答を受信した場合、トークバースト及びメディアバーストの少なくとも一方を前記ＰＴ  ｂｏｘに送信する段階とを含み、ここで、前記決定する段階は、前記ＰＴ  ｂｏｘアクセス条件情報が無条件（ｕｎｃｏｎｄｉｔｉｏｎａｌ）ＰＴ  ｂｏｘルーティングに設定されている場合、前記ＳＩＰ招待メッセージを前記ＰＴ  ｂｏｘに送信する段階を含み、前記失敗メッセージは、ＳＩＰ  ４８０  「ｔｅｍｐｏｒａｒｉｌｙ  ｕｎａｖａｉｌａｂｌｅ」メッセージであり、前記ＰＴ  ｂｏｘアクセス条件情報は、前記複数のターゲット端末の少なくとも１つによりネットワークの特定エンティティに予め保存されたものであり、前記ＰＴ  ｂｏｘアクセス条件情報は、前記ネットワークの特定エンティティから検索され、前記特定エンティティは、ＳＩＰ／ＩＰコア、ＰＴ  ＸＭＬデータベース管理サーバ（ＰＴ  ＸＤＭＳ）、及び前記ＰＴ  ｂｏｘの少なくとも１つであり、前記ＳＩＰ招待メッセージに対する応答は、ＳＩＰ  ２００  「ＯＫ」メッセージである、セッション開始プロトコル（ＳＩＰ）をサポートする無線通信システムにおけるＰＴセッションサービス処理方法を提供する。
【００８４】
また、本発明は、少なくとも１つのターゲット端末にセッション招待メッセージを送信する段階と、少なくとも１つの登録されていないターゲット端末に関するＰＴ  ｂｏｘアクセス条件情報が無条件ＰＴ  ｂｏｘルーティングに設定されている場合、ＰＴ  ｂｏｘからセッション招待応答メッセージを受信する段階とを含み、ここで、前記セッション招待応答メッセージは、前記ＰＴ  ｂｏｘのアドレスを含み、前記ＰＴ  ｂｏｘアクセス条件情報は、前記少なくとも１つのターゲット端末により特定エンティティに予め保存されたものであり、前記特定エンティティは、ＳＩＰ／ＩＰコア、ＰＴ  ＸＭＬデータベース管理サーバ（ＰＴ  ＸＤＭＳ）、及び前記ＰＴ  ｂｏｘの少なくとも１つであり、前記セッション招待応答メッセージは、前記ＰＴ  ｂｏｘアクセス条件情報が無条件ＰＴ  ｂｏｘルーティングに設定されていない場合、失敗メッセージであり、前記失敗メッセージは、ＳＩＰ  ４８０  「ｔｅｍｐｏｒａｒｉｌｙ  ｕｎａｖａｉｌａｂｌｅ」メッセージであり、前記ＰＴ  ｂｏｘアクセス条件情報は、ネットワークの特定エンティティから検索され、前記特定エンティティは、ＳＩＰ／ＩＰコア、ＰＴ  ＸＤＭサーバ、及び前記ＰＴ  ｂｏｘの少なくとも１つであり、前記少なくとも１つの登録されていないターゲット端末は、ＩＭＳ（ＩＰ  Ｍｕｌｔｉｍｅｄｉａ  Ｓｕｂｓｙｓｔｅｍ）接続が不可能な（ｕｎａｔｔａｃｈｅｄ）端末であり、前記少なくとも１つの登録されていないターゲット端末は、サーバがＰＴサービスセッティングを受信していない端末である、セッション開始プロトコル（ＳＩＰ）をサポートする無線通信システムにおけるＰＴセッションサービス処理方法を提供する。
【００８５】
さらに、本発明は、ＰＴサーバを介してＰＴ  ｂｏｘにＳＩＰ  ＰＵＢＬＩＳＨメッセージを送信する段階と、特定情報を含むＳＩＰメッセージを前記ＰＴ  ｂｏｘから受信する段階と、前記ＰＴ  ｂｏｘに保存されている特定データを確認するために、前記特定情報を利用してＳＩＰ招待メッセージを前記ＰＴ  ｂｏｘに送信する段階と、前記受信したＳＩＰメッセージに対する応答として、ＳＩＰ  ２００  ＯＫメッセージを前記ＰＴ  ｂｏｘに送信する段階と、前記送信したＳＩＰ招待メッセージに対する応答として、ＳＩＰ  ２００  ＯＫメッセージを前記ＰＴ  ｂｏｘから受信する段階と、前記ＰＴ  ｂｏｘに保存されている前記特定データを前記ＰＴ  ｂｏｘから受信する段階とを含み、ここで、前記ＳＩＰ  ＰＵＢＬＩＳＨメッセージを送信する段階は、前記ＳＩＰ  ＰＵＢＬＩＳＨメッセージを前記ＰＴサーバに送信する段階と、前記ＳＩＰ  ＰＵＢＬＩＳＨメッセージに対する応答として、ＳＩＰ  ２００  ＯＫメッセージを前記ＰＴサーバから受信する段階とを含み、前記ＰＴサーバは、前記ＳＩＰ  ＰＵＢＬＩＳＨメッセージを前記ＰＴ  ｂｏｘに送信した後、前記ＳＩＰ  ＰＵＢＬＩＳＨメッセージに対する応答として、前記ＳＩＰ  ２００  ＯＫメッセージを前記ＰＴ  ｂｏｘから受信し、前記特定データは、トークバースト（ＴＢ）及び／又はメディアバースト（ＭＢ）であり、前記特定情報は、前記ＰＴ  ｂｏｘに保存されている特定データのアドレスを含む、セッション開始プロトコル（ＳＩＰ）をサポートする無線通信システムにおけるＰＴセッションサービス処理方法を提供する。
【００８６】
さらに、本発明は、複数のターゲット端末の少なくとも１つに対するセッションを開始するために、ＳＩＰ招待メッセージを受信する段階と、前記各ターゲット端末に対するＰＴサービスセッティングを確認する段階と、前記ＰＴサービスセッティングを少なくとも１つの特定ターゲット端末から受信していない場合、前記ＳＩＰ招待メッセージをＰＴ  ｂｏｘに送信する段階と、前記少なくとも１つの特定ターゲット端末のＰＴ  ｂｏｘアクセス条件情報を含むＳＩＰ招待応答メッセージを前記ＰＴ  ｂｏｘから受信する段階と、前記ＰＴ  ｂｏｘアクセス条件情報が無条件ＰＴ  ｂｏｘルーティングに設定されている場合、前記ＰＴ  ｂｏｘとのセッション接続によりデータ通信を行う段階とを含む、セッション開始プロトコル（ＳＩＰ）をサポートする無線通信システムにおけるＰＴセッションサービス処理方法を提供する。
【００８７】
さらに、本発明は、複数のターゲットクライアントの少なくとも１つに対するセッションを開始するために、クライアントから要求を受信する段階と、少なくとも１つの登録されていないターゲットクライアント又は少なくとも１つの利用可能でないターゲット端末に関する保存エンティティアクセス情報を確認する段階と、前記確認する段階に応じて、前記要求を保存エンティティに送信するか、失敗メッセージを前記クライアントに送信するかを決定する段階と、前記決定する段階により前記保存エンティティに送信された前記要求に対する要求応答を受信する段階と、前記保存エンティティアクセス情報が無条件保存エンティティフォワーディングに設定されている場合、前記保存エンティティとのセッション接続によりデータ通信を行う段階とを含み、ここで、前記保存エンティティはセッションデータを保存し、前記少なくとも１つの登録されていないターゲットクライアントは、サーバがＰＴサービスセッティングを受信していない端末である、セッション開始プロトコル（ＳＩＰ）をサポートする無線通信システムにおけるＰＴセッションサービス処理方法を提供する。
【００８８】
前述した本発明の実施形態は、ソフトウェア、ハードウェア、又はこれらの組み合わせにより実現できる。例えば、例示的な方法又はこれらの手順の少なくとも一部は、記憶媒体（例えば、移動端末の内部メモリ、フラッシュメモリ、ハードディスクなど）に保存でき、プロセッサ（例えば、移動端末のマイクロプロセッサ、制御装置など）により実行できるソフトウェアプログラムの一部を構成するコード、コマンド、指示などで実現できる。
前述したクライアント端末は、トランシーバモジュール、出力ユニット（例えば、ディスプレイ、音響出力装置など）、入力ユニット（例えば、マイク、キー入力ユニットなど）、カメラモジュール、並びに制御回路又は構成要素を含む。また、前記サーバは、ネットワークインタフェース、記憶媒体、プロセッサ、並びに他のネットワークエンティティを含む。
【００８９】
さらに、本明細書に説明された特徴及び態様は、無線通信能力（すなわち、インタフェース）を備えたＰＤＡやラップトップコンピュータなどの移動装置を使用する無線通信システムに関連し、このために実現できる。また、本発明を説明するために使用された特定用語は本発明の範囲を特定タイプの無線通信システムに限定するものではない。さらに、本発明は、例えばＴＤＭＡ、ＣＤＭＡ、ＦＤＭＡ、ＷＣＤＭＡ、ＯＦＤＭ、ＥＶ−ＤＯ、モバイルＷｉ−Ｍａｘ、Ｗｉ−Ｂｒｏなどの様々なエアインタフェース及び／又は物理層を使用する他の無線通信システムにも適用できる。
【００９０】
前述した本発明の実施形態は、本明細書の詳細な記載内容によって限定されるのではなく、特に記載されていない限り、広く解釈されるべきであることを理解できるであろう。従って、請求の範囲は本明細書に開示されている発明の精神及び範囲内で変更、同等の構造、及び特徴を含むように広く解釈されるべきである。
【図面の簡単な説明】
【００９１】
【図１】ＰＴ  ｂｏｘサービス利用方法を示す信号フロー図である。
【図２】ＰＴシステムにおいてＰＴ  ｂｏｘアクセスポリシー条件情報をＰＴ  ＸＭＬデータベース管理サーバ（ＰＴ  ＸＭＬ  Ｄａｔａｂａｓｅ  Ｍａｎａｇｅｍｅｎｔ  Ｓｅｒｖｅｒ；  ＰＴ  ＸＤＭＳ）に保存する手順を示す信号フロー図である。
【図３】ＰＴシステムのＰＴ  ＸＤＭサーバに保存されたＰＴ  ｂｏｘアクセスポリシー条件情報のＰＴ  ｂｏｘ  ｆｏｒｗａｒｄが「ｔｒｕｅ」に設定されている場合におけるＰＴ  ｂｏｘ利用方法を示す信号フロー図である。
【図４】ＰＴシステムのＰＴ  ＸＤＭサーバに保存されたＰＴ  ｂｏｘアクセスポリシー条件情報のＰＴ  ｂｏｘ  ｆｏｒｗａｒｄが「ｆａｌｓｅ」に設定されている場合におけるＰＴ  ｂｏｘ利用方法を示す信号フロー図である。
【図５】ＰＴシステムにおいてＰＴ  ｂｏｘアクセスポリシー条件情報をＰＴ  ｂｏｘに保存する手順を示す信号フロー図である。
【図６】ＰＴシステムのＰＴ  ｂｏｘに保存されたＰＴ  ｂｏｘアクセスポリシー条件情報のＰＴ  ｂｏｘ  ｆｏｒｗａｒｄが「ｔｒｕｅ」に設定されている場合におけるＰＴ  ｂｏｘ利用方法を示す信号フロー図である。
【図７】ＰＴシステムのＰＴ  ｂｏｘに保存されたＰＴ  ｂｏｘアクセスポリシー条件情報のＰＴ  ｂｏｘ  ｆｏｒｗａｒｄが「ｆａｌｓｅ」に設定されている場合におけるＰＴ  ｂｏｘ利用方法を示す信号フロー図である。
【図８】ＰＴシステムにおいてＰＴ  ｂｏｘアクセスポリシー条件情報をＳＩＰ／ＩＰコアのＨＳＳ（Ｈｏｍｅ  Ｓｕｂｓｃｒｉｂｅ  Ｓｅｒｖｅｒ）に保存する手順を示す信号フロー図である。
【図９】ＰＴシステムのＳＩＰ／ＩＰコアに保存されたＰＴ  ｂｏｘアクセスポリシー条件情報のＰＴ  ｂｏｘ  ｆｏｒｗａｒｄが「ｔｒｕｅ」に設定されている場合におけるＰＴ  ｂｏｘ利用方法を示す信号フロー図である。
【図１０】ＰＴシステムのＳＩＰ／ＩＰコアに保存されたＰＴ  ｂｏｘアクセスポリシー条件情報のＰＴ  ｂｏｘ  ｆｏｒｗａｒｄが「ｆａｌｓｅ」に設定されている場合におけるＰＴ  ｂｏｘ利用方法を示す信号フロー図である。
【図１１】ＰＴ  ｂｏｘ通知手順を示す信号フロー図である。
【図１】
2009522915.tif 000003
【図２】
2009522915.tif 000004
【図３】
2009522915.tif 000005
【図４】
2009522915.tif 000006
【図５】
2009522915.tif 000007
【図６】
2009522915.tif 000008
【図７】
2009522915.tif 000009
【図８】
2009522915.tif 000010
【図９】
2009522915.tif 000011
【図１０】
2009522915.tif 000012
【図１１】
2009522915.tif 000013
【国際調査報告】
2009522915.tif 000014
2009522915.tif 000015